(57)【要約】【課題】エレベータ利用者がエレベータ乗り場において乗り場呼びを行った場合、先に乗り場呼びを行ったエレベータ利用者が乗りかごに優先して乗車できるようにする。【解決手段】エレベータ乗車予約システムにおいて、エレベータ乗り場に設けられ、予約行先階情報と予約乗車スペース情報と予約荷重情報とをエレベータ利用者が入力する入力装置１１と、入力装置１１から入力された予約情報に基づき、入力装置１１による入力が行われた階床から予約行先階までエレベータ利用者が乗りかごを乗車予約することが可能であるか否かを入力装置１１への入力が行われた順に判断する判断部２３と、判断部２３により乗車予約することが可能であると判断された場合に乗りかごを乗車予約する予約部２５と、乗車予約に応じて乗りかごを運行させる運行部２８と、を備える。【選択図】図３
2009120336.tif 000002
【特許請求の範囲】
【請求項１】
エレベータ乗り場に設けられ、予約行先階情報と予約乗車スペース情報と予約荷重情報とをエレベータ利用者が入力する入力装置と、
前記入力装置から入力された前記予約情報に基づき、前記入力装置による入力が行われた階床から予約行先階まで前記エレベータ利用者が乗りかごを乗車予約することが可能であるか否かを前記入力装置への入力が行われた順に判断する判断部と、
前記判断部により乗車予約することが可能であると判断された場合に前記乗りかごを乗車予約する予約部と、
前記乗車予約に応じて前記乗りかごを運行させる運行部と、
を備えることを特徴とするエレベータ乗車予約システム。
【請求項２】
前記エレベータ乗り場に設けられ、エレベータ利用者が携帯する記録媒体に記録された予約行先階情報と予約乗車スペース情報と予約荷重情報とを読み取る読取装置を備え、
前記判断部は、前記読取装置により読み取られた前記予約情報に基づき、前記読取装置による読み取りが行われた階床から前記予約行先階まで前記エレベータ利用者が乗りかごを乗車予約することが可能であるか否かを前記読取装置による読み取りが行われた順に判断することを特徴とする請求項１記載のエレベータ乗車予約システム。
【請求項３】
前記エレベータ乗り場に設けられ、エレベータ利用者が携帯する第２の記録媒体に記録された予約乗車スペース情報と予約荷重情報とを読み取る第２の読取装置を備え、
前記判断部は、前記第２の読取装置により読み取られた前記予約乗車スペース情報と前記予約荷重情報と前記入力装置から入力された前記予約行先階情報とに基づき、前記第２読取装置による読み取りが行われた階床から前記予約行先階まで前記エレベータ利用者が乗りかごを乗車予約することが可能であるか否かを前記第２読取装置による読み取りと前記入力装置への入力とが行われた順に判断することを特徴とする請求項１記載のエレベータ乗車予約システム。
【請求項４】
エレベータ乗り場の検知領域内に位置するエレベータ利用者とこのエレベータ利用者に付随する付随物とに関する予約乗車スペース情報と予約荷重情報とを検知する検知装置と、
前記エレベータ乗り場に設けられ、予約行先階情報を前記エレベータ利用者が入力する第２の入力装置と、
前記検知装置により検知された前記予約乗車スペース情報と前記予約荷重情報と前記第２の入力装置から入力された前記予約行先階情報とに基づき、前記検知装置による検知が行われた階床から予約行先階まで前記エレベータ利用者が乗りかごを乗車予約することが可能であるか否かを前記検知装置による検知と前記第２の入力装置への入力とが行われた順に判断する判断部と、
前記判断部により乗車予約することが可能であると判断された場合に前記乗りかごを乗車予約する予約部と、
前記乗車予約に応じて前記乗りかごを運行させる運行部と、
を備えることを特徴とするエレベータ乗車予約システム。
【請求項５】
前記乗りかごが前記予約行先階に到着した場合に、乗車予約して行われた乗車に関する前記予約情報を自動的に消去する予約情報消去部を備えることを特徴とする請求項１ないし４のいずれか一に記載のエレベータ乗車予約システム。
【請求項６】
前記入力装置から入力された前記予約情報と前記読取装置により読み取られた前記予約情報と前記検知装置により検知された前記予約情報とを解約する解約部を備えることを特徴とする請求項１ないし５のいずれか一に記載のエレベータ乗車予約システム。
【発明の詳細な説明】
【技術分野】
【０００１】
本発明は、エレベータ乗車予約システムに関し、特に、エレベータ乗り場で乗り場呼びを行った場合に、乗りかごへの乗車を予約することができるようにしたエレベータ乗車予約システムに関する。
【背景技術】
【０００２】
従来、エレベータの運転方式としては、例えば、下記特許文献１に記載されているように、乗合全自動方式を採用するものが一般的である。
【０００３】
この乗合全自動方式は、所謂セレコレ方式と呼ばれている方式であり、乗りかごの上昇時下降時ともに、乗りかごの運行方向と同じ方向の乗り場呼びに応答して乗りかごを順次停止させる方式である。
【０００４】
このため、乗りかごが或る方向（上昇方向又は下降方向）に運行される場合、その運行方向と同じ方向の乗り場呼び釦が２以上の異なる階床のエレベータ乗り場で押された場合、乗りかごは、乗り場呼び釦が押されたタイミングに関係なく、乗りかごの近くの階床のエレベータ乗り場から順に停車する。
【特許文献１】特開２００７−８４２３７（段落番号０００２〜０００４）
【発明の開示】
【発明が解決しようとする課題】
【０００５】
このため、乗合全自動方式を採用しているエレベータにおいては、乗りかごが、後から乗り場呼び釦が押された階床のエレベータ乗り場に先に停車し、その後、先に乗り場呼び釦が押された階床のエレベータ乗り場に停車するという事態が発生しうる。
【０００６】
このような場合において、乗り場呼び釦が後から押された階床のエレベータ乗り場からエレベータ利用者が乗りかごに乗車したために乗りかごが満員状態となり、乗り場呼び釦を先に押した階床のエレベータ乗り場に居るエレベータ利用者が乗りかごに乗車できなくなるという事態が発生しうる。
【０００７】
例えば、中層階（例えば１０階）において上向きのかご呼び釦が先に押され、下層階（例えば５階）において上向きのかご呼び釦が後から押された場合に、上向きに運行する乗りかごは、先に下層階（例えば５階）に停車し、その後、中層階（例えば１０階）に停車する。このため、下層階（例えば５階）に停車した場合に乗りかごにエレベータ利用者が乗車したために乗りかごが満員状態になると、中層階（例えば１０階）からは乗り場呼び釦を先に押したにも拘わらず乗りかごに乗車できなくなる。特に、朝の通勤時間帯のように下層階から上層階に向かうエレベータ利用者が多い場合には、中層階から上方に向かうエレベータ利用者は、長時間に亘って乗りかごに乗車できないという事態が発生しうる。
【０００８】
本発明はこのような課題を解決するためになされたもので、その目的は、エレベータ利用者がエレベータ乗り場において乗り場呼びを行った場合、その乗り場呼びを行った時点において乗りかごに乗車できるか否かを判断し、乗車可能であると判断できた場合には乗りかごへの乗車を予約し、その後に乗り場呼びを行った他のエレベータ利用者に対して優先して乗りかごに乗車することができるようにしたエレベータ乗車予約システムを提供することである。
【課題を解決するための手段】
【０００９】
本発明の実施の形態に係る第１の特徴は、エレベータ乗車予約システムにおいて、エレベータ乗り場に設けられ、予約行先階情報と予約乗車スペース情報と予約荷重情報とをエレベータ利用者が入力する入力装置と、前記入力装置から入力された前記予約情報に基づき、前記入力装置による入力が行われた階床から予約行先階まで前記エレベータ利用者が乗りかごを乗車予約することが可能であるか否かを前記入力装置への入力が行われた順に判断する判断部と、前記判断部により乗車予約することが可能であると判断された場合に前記乗りかごを乗車予約する予約部と、前記乗車予約に応じて前記乗りかごを運行させる運行部と、を備えることである。
【００１０】
本発明の実施の形態に係る第２の特徴は、エレベータ乗車予約システムにおいて、エレベータ乗り場の検知領域内に位置するエレベータ利用者とこのエレベータ利用者に付随する付随物とに関する予約乗車スペース情報と予約荷重情報とを検知する検知装置と、前記エレベータ乗り場に設けられ、予約行先階情報を前記エレベータ利用者が入力する第２の入力装置と、前記検知装置により検知された前記予約情報と前記第２の入力装置から入力された前記予約情報とに基づき、前記検知装置による検知が行われた階床から予約行先階まで前記エレベータ利用者が乗りかごを乗車予約することが可能であるか否かを前記検知装置による検知と前記第２の入力装置への入力とが行われた順に判断する判断部と、前記判断部により乗車予約することが可能であると判断された場合に前記乗りかごを乗車予約する予約部と、前記乗車予約に応じて前記乗りかごを運行させる運行部と、を備えることである。
【発明の効果】
【００１１】
本発明によれば、エレベータ利用者がエレベータ乗り場において乗り場呼びを行った場合、その乗り場呼びを行った時点において乗りかごに乗車できるか否かが判断され、乗車できると判断された場合には乗りかごへの乗車が予約され、その後に乗り場呼びを行った他のエレベータ利用者に対して優先して乗りかごに乗車することができる。
【発明を実施するための最良の形態】
【００１２】
以下、本発明の実施の形態を図面を用いて説明する。
【００１３】
（第１の実施の形態）
本発明の第１の実施の形態に係るエレベータは、図１に示すように、建物内に形成されたエレベータ昇降路１と、エレベータ昇降路１の上部に形成された機械室２と、機械室２内に設置された制御装置３及び巻上機４とを備えている。巻上機４にはメインシーブ５とそらせシーブ６とが設けられ、これらのメインシーブ５とそらせシーブ６とにメインロープ７が巻き掛けられている。メインロープ７の両端はエレベータ昇降路１内に吊り下げられ、メインロープ７の一端側に乗りかご８が連結され、メインロープ７の他端側につり合い重り９が連結されている。
【００１４】
このエレベータは、エレベータ乗車予約システムを備えている。このエレベータ乗車予約システムは、各階床のエレベータ乗り場１０に設置された入力装置である入出力装置１１と、入出力装置１１から入力された予約情報に基づいて乗りかご８への乗車予約の可否の演算を行ったりその演算結果を入出力装置１１に表示させる制御装置３とを備えている。なお、制御装置３は、乗りかご８の乗車予約の可否の演算や表示のみを行うものではなく、乗りかご８を昇降させるための巻上機４の制御等も行う。
【００１５】
各階床のエレベータ乗り場１０に設置される入出力装置１１は、図２に示すように各種の釦１３〜１９と表示画面２０とを備えている。
【００１６】
入出力装置１１が備える各種の釦１３〜１９には、予約行先階釦１３と、予約乗車スペース釦１４と、予約荷重釦１５と、解約釦１６と、取消釦１７と、予約釦１８と、数値入力釦（テンキー）１９とが含まれる。
【００１７】
予約行先階釦１３は、エレベータ乗り場１０に居るエレベータ利用者が、乗りかご８に乗車して行きたい階床である予約行先階の情報を入力するために押す釦である。例えば、乗りかご８に乗車して５階まで行きたい場合には、予約行先階釦１３を押し、ついで、数値入力釦１９を“５”と押す。この場合に入力された予約行先階情報は、表示画面２０の予約行先階表示領域２０ａに“０５Ｆ”と表示される。
【００１８】
予約乗車スペース釦１４は、乗りかご８に乗車するエレベータ利用者が、乗りかご８に乗車した場合に乗りかご８内を占有する面積である予約乗車スペースの情報を人数に換算して入力するための釦である。例えば、１人で乗りかご８に乗車する場合には、予約乗車スペース釦１４を押し、ついで、数値入力釦１９を“１”と押す。この場合に入力された予約乗車スペース情報は、表示画面２０の予約乗車スペース表示領域２０ｂに“０１人”と表示される。なお、ベビーカーや大型の付随物（大型の荷物や大型のペット等）と共に乗車する１人のエレベータ利用者の場合は、乗りかご８内を占有する乗車予約スペースは人数に換算すると２人分になるので、予約乗車スペース釦１４を押した後に数値入力釦１９で入力する数値を“２”とする。
【００１９】
予約荷重釦１５は、乗りかご８に乗車するエレベータ利用者の予約荷重の情報を入力するための釦である。例えば、体重が６０Ｋｇで荷物等の付随物を持たないエレベータ利用者の場合には、予約荷重釦１５を押し、ついで、数値入力釦１９を“６０”と押す。この場合に入力された予約荷重情報は、表示画面２０の予約荷重表示領域２０ｃに“０６０Ｋｇ”と表示される。また、体重が６０Ｋｇのエレベータ利用者が２０Ｋｇの荷物等の付随物を持って乗りかご８に乗車する場合には、予約荷重釦１５を押し、ついで、数値入力釦１９を“８０”と押す。
【００２０】
取消釦１７は、予約行先階や予約乗車スペースや予約荷重の入力を間違えた場合に、その入力した数値を取り消すために押す釦である。この取消釦１７を押すことにより、入力された数値か取り消される。この取り消しを行った場合には、取り消した予約行先階や予約乗車スペースや予約荷重について再度入力を行う。
【００２１】
予約釦１８は、予約行先階情報と予約乗車スペース情報と予約荷重情報とを入力した後、入力した予約情報について予約受付を確定させるために押す釦である。予約釦１８を押すことにより、表示画面２０には、図２（ｂ）に示すように予約受付番号と乗車予約の可否とが表示される。
【００２２】
解約釦１６は、予約釦１８を押すことにより確定させた予約受付を解約するために押す釦である。予約受付の解約操作は、数値入力釦１９を押して予約受付された予約受付番号を入力し、ついで、解約釦１６を押すことにより、その予約受付番号が付与された予約受付が解約される。
【００２３】
なお、図２（ａ）は、予約行先階情報と予約乗車スペース情報と予約荷重情報とが入力され、それらの予約情報が表示画面２０に表示された状態である。図２（ｂ）は、図２（ａ）の表示状態から予約釦１８を押して乗り場呼びの予約受付を確定させた状態であり、表示画面２０には“予約受付番号××”と、“乗車予約ＯＫ”とが表示されている。なお、乗車予約が不可能な場合は、“予約受付番号××”と、“乗車予約ＮＧ”とが表示される。
【００２４】
図３は、エレベータ乗車予約システムを示すブロック図である。エレベータ乗車予約システムは、各階床のエレベータ乗り場１０に設置された複数の入出力装置１１と制御装置３とにより構成され、制御装置３には、予約受付部２１と、予約受付テーブル２２と、判断部２３と、予約テーブル２４と、予約部２５と、予約情報消去部２６と、解約部２７、運行部２８とが設けられている。
【００２５】
予約受付部２１は、エレベータ利用者が入出力装置１１から入力した予約情報（予約行先階情報、予約乗車スペース情報、予約荷重情報）を受け付ける。
【００２６】
予約受付テーブル２２には、予約受付部２１で受け付けた予約情報が記録される。予約受付テーブル２２では、入出力装置１１から入力された個々の予約情報（予約行先階情報と予約乗車スペース情報と予約荷重情報とが１組となった予約情報）に対して、予約受付順に予約受付番号が付与される。予約受付テーブル２２は、図４に示すように、予約受付番号、予約行先階情報、予約乗車スペース情報、予約荷重情報を記録する欄が形成されている。予約行先階の欄には、予約行先階情報と入力操作が行われたエレベータ乗り場１０の階床の情報とが記録される。例えば、５階のエレベータ乗り場１０の入出力装置１１で入力操作が行われ、入力された予約行先階が６階である場合には、“５→６”の形式で記録される。
【００２７】
予約テーブル２４は、上下で隣り合う階床間ごとに１つずつ設けられている。例えば、エレベータ乗り場１０が１階から２０階まであって上下で隣り合う階床間の数が１９である場合には、予約テーブル２４は１９個設けられている。各予約テーブル２４には、隣り合う階床間において既に乗車予約されている予約乗車スペース情報と予約荷重情報とが記録されいる。なお、各予約テーブル２４に記録されている予約情報は、乗りかご８の運行方向が切り替わるごとに消去される。
【００２８】
判断部２３は、予約受付部２１で受け付けた予約情報に基づき、予約テーブル２４に記録されている予約情報を参照し、当該入力を行ったエレベータ利用者が当該入力を行った階床から予約行先階まで乗りかご８を乗車予約することが可能であるか否かを判断する。
【００２９】
例えば、判断時点において予約テーブル２４に記録されている５階と６階との間の乗りかご８の予約乗車スペースが５人分であり（但し、乗りかご８の最大予約乗車スペースを１０人とする）、判断時点において予約テーブル２４に記録されている５階と６階との間の乗りかご８の予約荷重が３００Ｋｇである場合は（但し、乗りかご８の最大予約荷重を６００Ｋｇとする）、５階と６階との間では、５人分の予約乗車スペースの余裕があり、及び、３００Ｋｇ分の予約荷重の余裕があることになる。
【００３０】
従って、５階の入出力装置１１で予約行先階を６階として入力された予約情報が、予約乗車スペース情報が５人以下であり、予約荷重情報が３００Ｋｇ以下である場合には、乗りかご８を乗車予約することがＯＫであると判断される。一方、５階の入出力装置１１で予約行先階を６階として入力された予約情報が、予約乗車スペース情報が６人以上である場合や、予約荷重情報が３００Ｋｇを超える場合には、乗りかご８を乗車予約することがＮＧであると判断される。
【００３１】
また、予約情報が５階の入出力装置１１から入力され、予約行先階が７階である場合には、５階と６階との間、及び、６階と７階との間の２つの予約テーブル２４に記録されている予約情報を参照し、５階から７階までの各階床間ごとに乗車予約することが可能であるか否かが判断される。
【００３２】
なお、判断部２３での判断は、入出力装置１１への入力が行われた順に行われる。また、乗りかご８の運行方向が切り替わった場合には、予約受付テーブル２２に記録されている予約情報であって行先階方向が運行方向と同じ方向である予約情報について、予約受付テーブル２２に記録された古い順に、乗車予約の可否が判断部２３により判断される。
【００３３】
予約部２５は、判断部２３により乗りかご８を乗車予約することが可能であると判断された場合に、乗りかご８を乗車予約し、乗車予約した予約情報を記録する。この乗車予約が行なわれた場合は、乗車予約した予約情報の入力操作を行った入出力装置１１の表示画面２０に、“予約受付番号××”と、“乗車予約ＯＫ”とが表示される。さらに、予約部２５は、乗車予約された階床間の各予約テーブル２４に対し、予約された予約乗車スペース情報と予約荷重情報とを記録する。
【００３４】
一方、判断部２３により乗りかご８を乗車予約することが不可能であると判断された場合には、予約部２５は、乗車予約を拒否する。そして、予約情報の入力操作を行った入出力装置１１の表示画面２０に、“予約受付番号××”と、“乗車予約ＮＧ”との表示を行う。
【００３５】
運行部２８は、乗車予約された内容に応じた制御信号を生成し、この制御信号を巻上装置４に出力する。運行部２８から出力される制御信号により巻上装置４が駆動され、乗りかご８が予約行先階に向けて運行される。
【００３６】
予約情報消去部２６は、乗りかご８が予約行先階に到着した場合に、予約受付テーブル２２に記録された予約情報、及び、予約部２５に記録された予約情報であって乗車予約して行なわれた乗車に関する予約情報を自動的に消去する。これにより、予約受付テーブル２２や予約部２５の記憶容量を小さくすることができる。
【００３７】
解約部２７は、入出力装置１１から入力されて予約受付られた予約情報を解約する。この解約は、表示画面２０に表示された予約受付番号を入力し、ついで、解約釦１６を押すことにより行われる。
【００３８】
予約受付られた予約情報が解約されると、解約操作を行った入出力装置１１の表示画面２０に、“予約受付番号××”と、“解約ＯＫ”との表示が行われる。そして、予約受付テーブル２２に記録されている解約対象となった予約情報、及び、予約テーブル２４に記録されている解約対象となった予約情報が消去される。また、解約部２７により解約ができないと判断された場合には、解約操作を行った入出力装置１１の表示画面２０に、“予約受付番号××”と、“解約ＮＧ”との表示が行われる。
【００３９】
したがって、乗りかご８を乗車予約した後、その乗車予約を中止する場合には解約操作を行うことにより、乗りかご８が不要な階床に停車することを防止することができる。これにより、他のエレベータ利用者の乗車予約を可能にすることができ、エレベータを効率良く運行させることができる。
【００４０】
エレベータ乗車予約の制御について、図５のフローチャートに基づいて説明する。このエレベータ乗車予約の制御においては、まず、乗りかご８が一方向へ運行を開始した後、入出力装置１１から入力された予約情報を予約受付部２１で受け付けると（Ｓ１）、受け付けた予約情報が予約受付テーブル２２に記録される（Ｓ２）。予約受付テーブル２２に記録された予約情報には、予約受付の順に予約受付番号が付与される。
【００４１】
予約情報が予約受付テーブル２２に記録された後、その予約情報に基づき、当該入力を行ったエレベータ利用者が居る階床から予約行先階まで乗りかご８を乗車予約することが可能であるか否かが判断部２３において判断される（Ｓ３）。この判断は、入力を行ったエレベータ利用者が居る階床から予約行先階までの各階床間毎に設けられている予約テーブル２４に記録されている予約情報を参照し、予約乗車スペースに余裕が有るか否か、及び、予約荷重に余裕が有るか否かという観点から行われる。
【００４２】
例えば、エレベータ利用者が居る階床が５階であり、予約行先階が７階である場合には、５階と６階との間の予約テーブル２４に記録されている予約情報と、６階と７階との間の予約テーブル２４に記録されている予約情報とを参照し、５階から７階まで乗車予約が可能であるか否かが判断される。
【００４３】
判断部２３において予約行先階まで乗りかご８を乗車予約することが可能であると判断された場合は（Ｓ３のＹＥＳ）、予約部２５により乗車予約が行われる（Ｓ４）。この乗車予約により、予約情報の入力操作を行った入出力装置１１の表示画面２０に“予約受付番号××”と、“乗車予約ＯＫ”との表示が行われる。さらに、乗車予約された階床間の各予約テーブル２４に、予約された予約乗車スペース情報と予約荷重情報とが記録される。
【００４４】
一方、判断部２３において予約行先階まで乗りかご８を乗車予約することが不可能であると判断された場合は（Ｓ３のＮＯ）、予約部２５により乗車予約が拒否される（Ｓ５）。この乗車予約の拒否により、予約情報の入力操作を行った入出力装置１１の表示画面２０に、“予約受付番号××”と、“乗車予約ＮＧ”との表示が行われる。
【００４５】
乗車予約された場合には、エレベータの乗車予約制御と平行して行われている乗りかご８の運行制御により、乗りかご８が乗車予約が行われた階床のエレベータ乗り場１０に停車するように運行され、乗車予約したエレベータ利用者が乗りかご８に乗車することができる。
【００４６】
ステップＳ４の乗車予約又はステップＳ５の乗車予約拒否が行われた後、入出力装置１１から入力された他の予約情報を予約受付部２１で受け付けたか否かが判断される（Ｓ６）。他の予約情報を受け付けた場合には（Ｓ６のＹＥＳ）、ステップＳ２に戻って予約情報が予約受付テーブル２２に記録され、ステップＳ３に示すようにその予約情報に基づき乗りかご８を乗車予約することが可能であるか否かが判断部２３により判断される。（Ｓ３）。
【００４７】
他の予約情報を受け付けない場合には（Ｓ６のＮＯ）、乗りかご８が一つの予約行先階に到着したか否かが判断される（Ｓ７）。乗りかご８が一つの予約行先階に到着することにより乗車予約して行われた乗車が終了した場合には（Ｓ７のＹＥＳ）、この乗車に関する予約情報が、予約情報消去部２６により予約受付テーブル２２内及び予約部２５内から自動的に消去される（Ｓ８）。
【００４８】
ステップＳ８において一つの予約情報が消去された後、乗車予約された他の予約情報が予約部２５内に残っているか否かが判断され（Ｓ９）、さらに、乗りかご８の運行方向が切り替わったか否かが判断される（Ｓ１０）。
【００４９】
乗りかご８の運行方向が切り替わった場合には（Ｓ１０のＹＥＳ）、全ての予約テーブル２４に記録されている予約情報が消去される（Ｓ１１）。
【００５０】
ステップＳ１１の予約情報の消去が行われた後、予約受付テーブル２２に記録されている予約情報であって行先階方向が乗りかご８の運行方向と同じ方向である予約情報のうち、予約受付テーブル２２に記録された古い順に乗車予約が可能であるか否かが判断部２３において判断される（Ｓ１２）。この判断結果は、予約情報の入力が行われた入出力装置１１の表示画面２０に予約受付番号と共に表示される（Ｓ１３）。
【００５１】
ステップＳ１３の表示が行われた後、エレベータの乗車予約制御と平行して行われている乗りかご８の運行制御により乗りかご８の運行が開始される。そして、この運行が開始された後にステップＳ１に示した予約情報の受付があると、ステップＳ２以下の処理が行われる。
【００５２】
このような構成において、このエレベータ乗車予約システムを備えたエレベータによれば、各階床のエレベータ乗り場１０で入出力装置１１から予約情報を入力して乗り場呼びを行うと、その乗り場呼びを行った順に乗りかご８に乗車可能であるか否かが判断され、乗車可能であると判断された場合には乗車予約が行われる。
【００５３】
この乗車予約が行われると、乗りかご８は乗車予約したエレベータ利用者が乗りかご８に乗車可能な状態で運行される。このため、エレベータ乗車予約システムを備えたエレベータによれば、乗りかご８を先に乗車予約したエレベータ利用者が、後から乗り場呼びを行ったエレベータ利用者が乗りかご８に乗車したために乗りかご８に乗車できなくなるという事態の発生を防止することができる。これにより、乗り場呼びを行ったエレベータ利用者が、乗りかご８に乗車できずにエレベータ乗り場１０で長時間に待たされるという事態の発生を防止することができる。
【００５４】
（第２の実施の形態）
本発明の第２の実施の形態に係るエレベータ乗車予約システムについて、図６に基づいて説明する。なお、第２の実施の形態及びこれ以降の実施の形態において、第１の実施の形態において説明した構成要素と同じ構成要素には同じ符号を付け、重複する説明は省略する。
【００５５】
第２の実施の形態のエレベータ乗車予約システムの基本的構成は第１の実施の形態と同じであり、異なる点は、各階床のエレベータ乗り場１０に読取装置３０が設けられている点である。この読取装置３０は、エレベータ利用者が携帯する記録媒体であるＩＣタグ３１に記録されている予約情報（予約行先階情報と予約乗車スペース情報と予約荷重情報）を読み取る。読取装置３０により読み取られた予約情報は、入出力装置１１から入力された予約情報と同様に、予約受付部２１で受け付けられ、予約受付テーブル２２内に記録される。受け付けられた予約情報に基づき、乗車予約が可能であるか否かが判断部２３において判断される。
【００５６】
なお、各階床のエレベータ乗り場１０には、読取装置３０に加えて第１の実施の形態において説明した入出力装置１１が設けられている。ＩＣタグ３１を携帯しないエレベータ利用者は、入出力装置１１から予約情報（予約行先階情報と予約乗車スペース情報と予約荷重情報）を入力することができる。
【００５７】
このような構成において、ＩＣタグ３１を携帯するエレベータ利用者がエレベータ乗り場１０に来ると、ＩＣタグ３１に記録されている予約情報（予約行先階情報と予約乗車スペース情報と予約荷重情報）が読取装置３０により自動的に読み取られ、読み取られた予約情報が予約受付部２１で受け付けられる。受け付けられた予約情報に基づいて予約行先階まで乗りかご８を乗車予約できるか否かが判断部２３において判断され、乗車予約が可能な場合には乗車予約される。
【００５８】
したがって、ＩＣタグ３１を携帯するエレベータ利用者は、エレベータ乗り場１０において何ら操作を行うことなく、乗りかご８を乗車予約することができる。
【００５９】
これにより、エレベータ利用者がエレベータ乗り場１０において乗りかご８を乗車予約するための手間を軽減することができ、及び、乗りかご８の乗車予約を短時間で行うことができる。
【００６０】
（第３の実施の形態）
本発明の第３の実施の形態に係るエレベータの乗車予約システムについて、図７を参照して説明する。
【００６１】
第３の実施の形態のエレベータ乗車予約システムの基本的構成は第２の実施の形態と同じであり、異なる点は、各階床のエレベータ乗り場１０に、読取装置３０に代えて第２の読取装置４０が設けられている点である。この第２の読取装置４０は、エレベータ利用者が携帯する第２の記録媒体であるＩＣタグ４１に記録されている予約情報（予約乗車スペース情報と予約荷重情報）を読み取る。第２の読取装置４０により読み取られた予約情報（予約乗車スペース情報と予約荷重情報）は、入出力装置１１からエレベータ利用者により入力された予約情報（予約行先階情報）と共に予約受付部２１で受け付けられる。受け付けられた予約情報に基づき、乗車予約が可能であるか否かが判断部２３において判断される。
【００６２】
なお、ＩＣタグ４１を携帯しないエレベータ利用者は、全ての予約情報（予約行先階情報と予約乗車スペース情報と予約荷重情報）を入出力装置１１から入力する。
【００６３】
このような構成において、ＩＣタグ４１を携帯するエレベータ利用者は、乗りかご８を乗車予約する場合には、エレベータ乗り場１０において入出力装置１１から予約情報（予約行先階情報）を入力する。また、このエレベータ利用者がエレベータ乗り場１０に来ると、ＩＣタグ４１に記録されている予約情報（予約乗車スペース情報と予約荷重情報）が第２の読取装置４０により自動的に読み取られる。
【００６４】
第２の読取装置４０により読み取られた予約情報（予約乗車スペース情報と予約荷重情報）と入出力装置１１から入力された予約情報（予約行先階情報）とは、予約受付部２１で受け付けられ、予約受付テーブル２２内に記録される。受け付けられた予約情報に基づき、予約行先階まで乗りかご８を乗車予約できるか否かが判断部２３において判断され、乗車予約が可能な場合には乗車予約される。
【００６５】
したがって、ＩＣタグ４１を携帯するエレベータ利用者は、エレベータ乗り場１０において入出力装置１１から予約行先階情報を入力するだけで、乗りかご８を乗車予約することができる。これにより、乗りかご８を乗車予約するための手間を軽減することができる。また、予約行先階情報を入出力装置１１から入力する構成とすることにより、乗車予約する予約行先階を自由に設定することができる。
【００６６】
（第４の実施の形態）
本発明の第４の実施の形態に係るエレベータの乗車予約システムについて、図８を参照して説明する。本実施の形態の基本的構成は上述した各実施の形態と同じである。上述した各実施の形態と異なる点は、エレベータ乗り場１０の検知領域内に位置するエレベータ利用者とこのエレベータ利用者に付随する付随物（例えば、荷物、ペット等）とに関する予約乗車スペース情報と予約荷重情報とを検知する検知装置５０が設けられている点と、入出力装置１１に変えて第２の入力装置である第２の入出力装置５１が設けられている点である。
【００６７】
エレベータ乗り場１０の検知領域とは、エレベータ乗り場１０の乗り場ドアの前の特定の領域を意味し、例えば、柵などで囲んだ領域、床面の色を他の部分と変えた領域等を検知領域とすることができる。
【００６８】
検知装置５０は、検知領域内に位置するエレベータ利用者とこのエレベータ利用者に付随する付随物とに関する予約乗車スペース情報と予約荷重情報とを得ることができるものであればよい。検知装置５０としては、例えば、検知領域内に入る人をカウントする装置や、検知領域内を撮影して撮影した映像中からエレベータ利用者等の数を判断する装置や、検知領域内の荷重を検知する装置、又は、これらの装置の組み合わせ等が挙げられる。或いは、第３の実施の形態で説明したような、エレベータ利用者が携帯するＩＣタグ４１に記録されている予約情報（予約乗車スペース情報と予約荷重情報）を読み取る装置であってもよい。
【００６９】
第２の入出力装置５１は、エレベータ利用者が予約する行先階を入力するための複数の釦（図示せず）と、予約情報を解約するための解約釦（図示せず）と、入力内容を表示したり、乗車予約がＯＫであるかＮＧであるかを表示する表示画面（図示せず）とを備えている。
【００７０】
検知装置５０により検知された予約乗車スペース情報と予約荷重情報、及び、第２の入出力装置５１から入力された予約行先階情報とは、予約受付部２１で受け付けられ、予約受付テーブル２２内に記録される。受け付けられた予約情報に基づき、乗車予約が可能であるか否かが判断部２３において判断される。
【００７１】
このような構成において、エレベータ乗り場１０の検知領域内に位置するエレベータ利用者とエレベータ利用者に付随する付随物とについて、検知装置５０により予約乗車スペース情報と予約荷重情報とが検知される。さらに、エレベータ利用者が第２の入出力装置５１から予約行先階情報を入力することにより、これらの予約情報（予約乗車スペース情報と予約荷重情報と予約行先階情報）が予約受付部２１で受け付けられ、予約受付テーブル２２内に記録される。予約受付部２１で受け付けられた予約情報に基づき、予約行先階まで乗りかご８を乗車予約できるか否かが判断部２３において判断され、乗車予約が可能な場合には乗車予約される。
【００７２】
したがって、エレベータ利用者は、乗りかご８を乗車予約する場合には、エレベータ乗り場１０の検知領域内に入り、第２の入出力装置５１から予約行先階情報を入力するだけでよく、乗りかご８を乗車予約するための手間を軽減することができる。
【００７３】
さらに、検知装置５０により予約乗車スペース情報と予約荷重情報とを検知されるためには検知領域内に入ることが条件とされているため、乗りかご８を乗車予約したエレベータ利用者を明確にすることができる。
【図面の簡単な説明】
【００７４】
【図１】本発明の第１の実施の形態に係るエレベータ乗車予約システムを備えたエレベータの全体構造を示す概略図である。
【図２】入出力装置を示す正面図である。
【図３】エレベータ乗車予約システムを示すブロック図である。
【図４】予約受付テーブルの内部構成を示す模式図である。
【図５】エレベータ乗車予約の制御について説明するフローチャートである。
【図６】本発明の第２の実施の形態に係るエレベータ乗車予約システムを示すブロック図である。
【図７】本発明の第３の実施の形態に係るエレベータ乗車予約システムを示すブロック図である。
【図８】本発明の第４の実施の形態に係るエレベータ乗車予約システムを示すブロック図である。
【符号の説明】
【００７５】
１０      エレベータ乗り場
１１      入出力装置（入力装置）
２３      判断部
２５      予約部
２６      予約情報消去部
２７      解約部
２８      運行部
３０      読取装置
３１      ＩＣタグ（記録媒体）
４０      第２の読取装置
４１      ＩＣタグ（第２の記録媒体）
５０      検知装置
５１      第２の入出力装置（第２の入力装置）
【図１】
2009120336.tif 000003
【図２】
2009120336.tif 000004
【図３】
2009120336.tif 000005
【図４】
2009120336.tif 000006
【図５】
2009120336.tif 000007
【図６】
2009120336.tif 000008
【図７】
2009120336.tif 000009
【図８】
2009120336.tif 000010